(57)【特許請求の範囲】
【請求項１】
複数種類の図柄が施され、回転駆動される複数のリールと、
所定の価値のベットを受け付けるベット受付手段と、
前記ベットを受け付けた状態において前記複数のリールのスタート操作を受け付けるスタート操作手段と、
前記スタート操作に基づいて、予め定められた複数種類の役の内部当選の当否を抽選により判定する抽選手段と、
前記複数のリールのそれぞれに対応して設けられ、前記複数のリールの回転を個別に停止させる停止操作を受け付ける停止操作手段と、
前記抽選手段の抽選結果及び前記停止操作に基づいて、前記複数のリールの停止制御を行う停止制御手段と、
前記停止制御手段により停止制御された前記複数のリールの停止態様に基づいて、遊技者に利益を付与する利益付与手段と、を備えた遊技台であって、
前記抽選結果に応じた演出を実行する演出手段と、
前記演出手段が一の演出を実行している期間に受付可能であって、前記一の演出を該一の演出に繋がる他の演出に切り替えるための切替指示を遊技者から受け付ける演出切替受付手段と、を備え、
前記演出手段は、前記一の演出を少なくとも一の停止操作の受付前に実行し、
前記一の演出は、最初の場面から最終の場面となるまでに予め定めた時間を要するものであり、
前記ベット受付手段は、今回の遊技が終了している場合には、前記予め定めた時間の経過に係わらず次回の遊技の前記ベットを受付可能なものであり、
前記演出手段は、
前記一の演出を開始してから前記予め定めた時間が経過した後に、前記演出切替受付手段が前記切替指示を受け付けた場合には、前記切替指示を受け付けた時に、実行中の前記一の演出を前記他の演出に切替え、
前記一の演出を開始してから前記予め定めた時間が経過する前に、前記演出切替受付手段が前記切替指示を受け付けた場合には、実行中の前記一の演出を前記最終の場面まで継続するものであり、
前記演出切替受付手段は、前記一の演出の実行中に次回の遊技の前記ベットを受け付けたことに基づいて、前記切替指示を受け付けるものであり、
前記スタート操作手段は、前記一の演出の実行中に次回の遊技の前記ベットが受け付けられた場合には、該次回の遊技の前記スタート操作を前記予め定めた時間の経過に係わらず受け付けるものである、
ことを特徴とする遊技台。
【請求項２】
請求項１に記載の遊技台であって、
前記演出手段は、前記一の演出の実行中に次回の遊技の前記スタート操作を受け付けた場合には、該一の演出を終了するとともに前記他の演出も実行しない、
ことを特徴とする遊技台。
【発明の詳細な説明】
【技術分野】
【０００１】
本発明は、スロットマシン、パチンコ機等に代表される遊技台に関する。
【背景技術】
【０００２】
従来、スロットマシンやパチスロと呼ばれる遊技台では、乱数などを用いて入賞役の抽選を行い、その抽選結果に応じてリール制御を行って、入賞が発生した場合は、メダルなどの遊技媒体の払出しを行うと共に、リール制御などを行う主制御部とは別に演出用副制御部を設け、入賞役の内部当選や遊技状態の変化などに基づいて様々な演出を行うように構成されている。更にはこれらの演出の中でも、遊技者の操作によって演出態様を変化させるような遊技台も登場してきており、例えば、ある演出中に賭け操作を行うベットボタンを所定回数操作させるような示唆を行い、ベットボタンが所定回数操作された場合には、実行中の演出の態様を変化させることで、遊技者が演出内容の決定に関わっているという実感を与えて、遊技の興趣を高めるような工夫もなされている。
【先行技術文献】
【特許文献】
【０００３】
【特許文献１】特開２０１０−１７８９７２号公報
【発明の概要】
【発明が解決しようとする課題】
【０００４】
しかしながら、上記のような従来の遊技台においては、遊技の興趣の向上において改善の余地があった。
【０００５】
本発明は、遊技の興趣を向上することができる遊技台を提供することを目的とする。
【課題を解決するための手段】
【０００６】
上記目的を達成するために、本発明の遊技台は、複数種類の図柄が施され、回転駆動される複数のリールと、所定の価値のベットを受け付けるベット受付手段と、前記ベットを受け付けた状態において前記複数のリールのスタート操作を受け付けるスタート操作手段と、前記スタート操作に基づいて、予め定められた複数種類の役の内部当選の当否を抽選により判定する抽選手段と、前記複数のリールのそれぞれに対応して設けられ、前記複数のリールの回転を個別に停止させる停止操作を受け付ける停止操作手段と、前記抽選手段の抽選結果及び前記停止操作に基づいて、前記複数のリールの停止制御を行う停止制御手段と、前記停止制御手段により停止制御された前記複数のリールの停止態様に基づいて、遊技者に利益を付与する利益付与手段と、を備えた遊技台であって、前記抽選結果に応じた演出を実行する演出手段と、前記演出手段が一の演出を実行している期間に受付可能であって、前記一の演出を該一の演出に繋がる他の演出に切り替えるための切替指示を遊技者から受け付ける演出切替受付手段と、を備え、前記演出手段は、前記一の演出を少なくとも一の停止操作の受付前に実行し、前記一の演出は、最初の場面から最終の場面となるまでに予め定めた時間を要するものであり、前記ベット受付手段は、今回の遊技が終了している場合には、前記予め定めた時間の経過に係わらず次回の遊技の前記ベットを受付可能なものであり、前記演出手段は、前記一の演出を開始してから前記予め定めた時間が経過した後に、前記演出切替受付手段が前記切替指示を受け付けた場合には、前記切替指示を受け付けた時に、実行中の前記一の演出を前記他の演出に切替え、前記一の演出を開始してから前記予め定めた時間が経過する前に、前記演出切替受付手段が前記切替指示を受け付けた場合には、実行中の前記一の演出を前記最終の場面まで継続するものであり、前記演出切替受付手段は、前記一の演出の実行中に次回の遊技の前記ベットを受け付けたことに基づいて、前記切替指示を受け付けるものであり、前記スタート操作手段は、前記一の演出の実行中に次回の遊技の前記ベットが受け付けられた場合には、該次回の遊技の前記スタート操作を前記予め定めた時間の経過に係わらず受け付けるものである、ことを特徴とする。
【発明の効果】
【０００７】
本発明の遊技台によれば、遊技の興趣を向上することができる。
【図面の簡単な説明】
【０００８】
【図１】本発明の一実施形態に係るスロットマシン１００の外観を示す斜視図である。
【図２】スロットマシン１００の内観図である。
【図３】スロットマシンの制御ブロック図である。
【図４】（ａ）リール１１０から１１２に描かれた図柄を示す図である。（ｂ）入賞役の組合せと払出し枚数を示す配当図である。
【図５】主制御部メイン処理の流れを示すフローチャートである。
【図６】主制御部タイマ割込処理の流れを示すフローチャートである。
【図７】（ａ）通常演出を示す図である。（ｂ）通常演出を示す図である。（ｃ）ベットボタン演出を示す図である。
【図８】従来における通常演出とベットボタン演出の関係を示すタイムチャートである。
【図９】従来における通常演出とベットボタン演出の問題点を示すタイムチャートである。
【図１０】本実施形態における通常演出とベットボタン演出の関係を示すタイムチャートである。
【図１１】リプレイ擬似投入制御おける通常演出とベットボタン演出の関係を示すタイムチャートである。
【図１２】（ａ）第１副制御部メイン処理の流れを示すフローチャートである。（ｂ）第１副制御部コマンド受信割込処理の流れを示すフローチャートである。（ｃ）第１副制御部タイマ割込処理の流れを示すフローチャートである。
【図１３】演出選択処理の流れを示すフローチャートである。
【図１４】演出制御処理の流れを示すフローチャートである。
【図１５】演出抽選テーブルを示す図である。
【発明を実施するための形態】
【０００９】
以下、本発明の好適な実施の形態について添付図面を用いて詳細に説明する。
【００１０】
図１は、本発明の一実施形態に係るスロットマシン１００の斜視図である。図１に示すスロットマシン１００は、本体１０１と、本体１０１の正面に取付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１１】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１２】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１３】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして有効として設定してもよく、ベット数に関係なく、一律に同一数の入賞ラインを有効な入賞ラインとして設定してもよい。
【００１４】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１５】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１７】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１８】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００１９】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２０】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２１】
音孔１４３はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２２】
図２は、前面扉を開けた状態のスロットマシン１００を示す正面図である。筐体１０１は、上面板２６１、左側の側面板２６０、右側の側面板２６０、下面板２６４および背面板２４２で囲われ、前面に開口する箱体である。筐体１０１の内部には、背面板２４２の上部に設けた通風口２４９と重ならない位置に、内部に主制御基板を収納した主制御基板収納ケース２１０が配置され、この主制御基板収納ケース２１０の下方に、３つのリール１１０乃至１１２が配置されている。主制御基板収納ケース２１０及びリール１１０乃至１１２の側方、即ち向って左側の側面板２６０には、内部に副制御基板を収納した副制御基板収納ケース２２０が配設してある。また、向かって右側の側面板２６０には、主制御基板に接続されて、スロットマシン１００の情報を外部装置に出力する外部集中端子板２４８が取り付けられている。
【００２３】
そして、下面板２６４には、メダル払出装置１８０（バケットに溜まったメダルを払出す装置）が配設され、このメダル払出装置１８０の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して主制御部３００、第１副制御部４００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２４】
メダル払出装置１８０の右側には、メダル補助収納庫２４０が配設してあり、この背後にはオーバーフロー端子が配設されている（図示省略）。電源装置２５２には、電源コード２６５を接続する電源コード接続部が設けられ、ここに接続された電源コード２６５が、筐体１０１の背面板２４２に開設した電源コード用穴２６２を通して外部に延出している。
【００２５】
前面扉１０２は、筐体１０１の左側の側面板２６０にヒンジ装置２７６を介して蝶着され、図柄表示窓１１３の上部には、演出装置１６０、および、この演出装置１６０を制御する演出制御基板（図示省略）、上部スピーカ２７２、を設けている。図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１４３に対応する位置には低音スピーカ２７７を設けている。
【００２６】
次に図３を用いて、スロットマシン１００の制御部の制御部の回路構成について詳細に説明する。なお、同図は制御部の回路ブロック図を示したものである。
【００２７】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【００２８】
まず、スロットマシン１００の主制御部３００について説明する。主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００２９】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３８を設けており、ＣＰＵ３０４は、この起動信号出力回路３３８から起動信号を入力した場合に、遊技制御を開始する（後述する主制御部メイン処理を開始する）。
【００３０】
また、電圧を監視する電圧監視回路３３０と、ＷＤＴ３１３（ウォッチドッグタイマー）が設けられている。
【００３１】
また、基本回路３０２には、センサ回路３２０を設けており、ＣＰＵ３０４は、割り込み時間ごとに各種センサ３１８（ベットボタン１３０センサ、ベットボタン１３１センサ、ベットボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。
【００３２】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００３３】
メダル受付センサは、メダル投入口１４１の内部通路に２個設置されており、メダルの通過有無を検出する。スタートレバー１３５センサは、スタートレバー１３５内部に２個設置されており、遊技者によるスタート操作を検出する。ストップボタン１３７センサ、ストップボタン１３８センサ、および、ストップボタン１３９は、各々のストップボタン１３７乃至１３９に設置されており、遊技者によるストップボタンの操作を検出する。
【００３４】
ベットボタン１３０センサ、ベットボタン１３１センサ、および、ベットボタン１３２センサは、メダル投入ボタン１３０乃至１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３５】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００３６】
主制御部３００は、リール１１０乃至１１２に設けたステッピングモータを駆動する駆動回路３２２を設けており、投入されたメダルを選別するメダルセレクタ１７０に設けたソレノイドを駆動する駆動回路３２４を設けており、メダル払出装置１８０に設けたモータを駆動する駆動回路３２６を設けており、各種ランプ３３８（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を設けている。
【００３７】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。
【００３８】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００３９】
次に、スロットマシン１００の第１副制御部４００について説明する。第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作し、第１副制御部４００の全体を制御するための制御プログラム及びデータ、バックライトの点灯パターンや各種表示器を制御するためのデータ等が記憶されたＲＯＭ４０６が設けている。
【００４０】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００４１】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００４２】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）を設けている。
【００４３】
また、ＣＰＵ４０４は、出力インタフェースを介して第２副制御部５００へ信号の送受信を行う。スロットマシン１００の第２副制御部５００では、演出画像表示装置１５７や各種演出用駆動装置１６０の制御を行う。第２副制御部５００は、例えば、液晶表示装置１５７の制御を行う制御部、各種演出用駆動装置１６５の制御を行う制御部とするなど、複数の制御部で構成するようにしてもよい。第２副制御部は、演出画像表示装置１５７の表示制御を行ったり、演出用の駆動装置１６５を制御したりする。
【００４４】
次に図４（ａ）を用いて、上述の各リール１１０乃至１１２に施される図柄配列について説明する。なお、同図は、各リール（左リール１１０、中リール１１１、右リール１１２）に施される図柄の配列を平面的に展開して示した図である。
【００４５】
各リール１１０乃至１１２には、同図の右側に示す複数種類（本実施形態では８種類）の図柄が所定コマ数（本実施形態では、番号０〜２０の２１コマ）だけ配置されている。また、同図の左端に示した番号０〜２０は、各リール１１０乃至１１２上の図柄の配置位置を示す番号である。例えば、本実施形態では、左リール１１０の番号１のコマには「リプレイ」の図柄、中リール１１１の番号１のコマには「ベル」の図柄、右リール１１２の番号１１のコマには「スイカ」の図柄、がそれぞれ配置されている。
【００４６】
次に、図４（ｂ）を用いて、スロットマシン１００の入賞役の種類について説明する。なお、同図は入賞役（作動役を含む）の種類、各入賞役に対応する図柄組合せ、各入賞役の作動または払出を示している。  本実施形態における入賞役のうち、ビッグボーナス（ＢＢ１、ＢＢ２）および、レギュラーボーナス（ＲＢ）はボーナス遊技に移行する役として、また、再遊技（リプレイ）は新たにメダルを投入することなく再遊技が可能となる役として、それぞれ入賞役とは区別され「作動役」と呼ばれる場合があるが、本実施形態における「入賞役」には、作動役である、ビッグボーナス、レギュラーボーナス、再遊技が含まれる。また、本実施形態における「入賞」には、メダルの配当を伴わない（メダルの払い出しを伴わない）作動役の図柄組合せが有効ライン上に表示される場合も含まれ、例えば、ビッグボーナス、レギュラーボーナス、再遊技への入賞が含まれる。
【００４７】
スロットマシン１００の入賞役には、ビッグボーナス（ＢＢ１、ＢＢ２）と、レギュラーボーナス（ＲＢ）と、小役（チェリー、スイカ、ベル）と、再遊技（リプレイ）がある。なお、入賞役の種類は、これに限定されるものではなく、任意に採用できることは言うまでもない。
【００４８】
「ビッグボーナス（ＢＢ１、ＢＢ２）」（以下、単に、「ＢＢ」と称する場合がある）は、入賞により特別遊技であるビッグボーナス遊技（ＢＢ遊技）が開始される特別役（作動役）である。対応する図柄組合せは、ＢＢ１が「白７−白７−白７」、ＢＢ２が「青７−青７−青７」である。また、ＢＢ１、ＢＢ２についてはフラグ持越しを行う。すなわち、ＢＢ１、ＢＢ２に内部当選すると、これを示すフラグが立つ（主制御部３００のＲＡＭ３０８の所定のエリア内に記憶される）が、その遊技においてＢＢ１、ＢＢ２に入賞しなかったとしても、入賞するまで内部当選を示すフラグが立った状態が維持され、次遊技以降でもＢＢ１、ＢＢ２に内部当選中となり、ＢＢ１に対応する図柄組み合わせ「白７−白７−白７」、ＢＢ２に対応する図柄組み合わせ「青７−青７−青７」が、揃って入賞する状態にある。
【００４９】
「レギュラーボーナス（ＲＢ）」は、入賞によりレギュラーボーナス遊技（ＲＢ遊技）が開始される特殊役（作動役）である。対応する図柄組合せは、「ＲＥＧ−ＲＥＧ−ＲＥＧ」である。なお、ＲＢについても上述のＢＢと同様にフラグ持越しを行う。但し、ビッグボーナス遊技（ＢＢ遊技）においては、レギュラーボーナス遊技（ＲＢ遊技）が内部当選することや、図柄組み合わせが入賞ライン上に表示されること、を開始条件とせずに、ビッグボーナス遊技の開始後からレギュラーボーナス遊技を開始し、１回のレギュラーボーナス遊技を終了した場合には次のレギュラーボーナス遊技をすぐに開始するような自動的にレギュラーボーナス遊技を開始させる設定としてもよい。  「小役（チェリー、スイカ、ベル）」（以下、単に、「チェリー」、「スイカ」、「ベル」と称する場合がある）は、入賞により所定数のメダルが払い出される入賞役で、対応する図柄組合せは、チェリーが「チェリー−ＡＮＹ−ＡＮＹ」、スイカが「スイカ−スイカ−スイカ」、ベルが「ベル−ベル−ベル」である。また、対応する払出枚数は同図に示す通りである。なお、「チェリー−ＡＮＹ−ＡＮＹ」の場合、左リール１１０の図柄が「チェリー」であればよく、中リール１１１と右リール１１２の図柄はどの図柄でもよい。
【００５０】
「再遊技（リプレイ）」は、入賞により次回の遊技でメダル（遊技媒体）の投入を行うことなく遊技を行うことができる入賞役（作動役）であり、メダルの払出は行われない。なお、対応する図柄組合せは、再遊技は「リプレイ−リプレイ−リプレイ」である。
【００５１】
次に、スロットマシン１００の遊技状態の種類について説明する。本実施例では、スロットマシン１００の遊技状態は、通常遊技と、ＢＢ遊技と、ＲＢ遊技と、ビッグボーナス（ＢＢ）およびレギュラーボーナス（ＲＢ）の内部当選遊技と、に大別した。但し、通常遊技と、ＢＢ遊技と、ＲＢ遊技と、に大別するような区分けであってもよい。
【００５２】
通常遊技に内部当選する入賞役には、ビッグボーナス（ＢＢ）と、レギュラーボーナス（ＲＢ）と、再遊技（リプレイ）と、小役（チェリー、スイカ、ベル）がある。
【００５３】
「ビッグボーナス（ＢＢ）」は、入賞により特別遊技であるビッグボーナス遊技（ＢＢ遊技）が開始される特別役（作動役）である。レギュラーボーナス（ＲＢ）」は、入賞によりレギュラーボーナス遊技（ＲＢ遊技）を開始する特殊役（作動役）である。「再遊技（リプレイ）」は、入賞により次回の遊技でメダルの投入を行うことなく遊技を行うことができる入賞役（作動役）であり、メダルの払出も行われない。「小役」は、入賞により所定数のメダルが払い出される入賞役である。なお、各々の役の内部当選確率は、通常遊技に用意された抽選データから、各々の役に対応付けされた抽選データの範囲に該当する数値データを、内部抽選時に取得される乱数値の範囲の数値データ（例えば６５５３５）で除した値で求められる。通常遊技に用意された抽選データは、予めいくつかの数値範囲に分割され、各数値範囲に各々の役やハズレを対応付けしている。内部抽選を実行した結果得られた乱数値が、何れの役に対応する抽選データに対応する値であったかを判定し、内部抽選役を決定する。この抽選データは少なくとも１つの役の当選確率を異ならせた設定１〜設定６が用意され、遊技店の係員等はいずれかの設定値を任意に選択し、設定することができる。
【００５４】
通常遊技は、内部抽選の結果が概ねハズレ（ビッグボーナス（ＢＢ）、レギュラーボーナス（ＲＢ）、再遊技（リプレイ）および小役に当選していない）となる設定がされており、獲得するメダルの総数が、投入したメダルの総数に満たない遊技状態になっている。よって、遊技者にとっては不利益となる遊技状態である。但し、予め定めた条件を満たした場合（例えば、特定の図柄組み合わせが表示された場合）には、再遊技の内部当選の確率を上昇させる変動をさせてもよい遊技状態であり、この場合、小役の入賞によって所定数のメダルが払い出されることにより、獲得するメダルの総数が、投入したメダルの総数を超える遊技状態になり、遊技者にとっては利益となる遊技状態になる場合がある。
【００５５】
ＢＢ遊技は、遊技者にとっては利益となる遊技状態になるように設定されている。つまり、ＢＢ遊技は、獲得するメダルの総数が、投入したメダルの総数を超える遊技状態となる。ＢＢ遊技は、本実施例では、ビッグボーナス（ＢＢ）の入賞により開始され、ＲＢ遊技（後述する）を連続して繰り返し実行可能になっており、遊技中に予め定められた一の数（例えば、４６５枚）を超えるメダルが獲得された場合に終了する。但し、ＢＢ遊技はＲＢ遊技を連続して繰り返し実行可能とすることなく、ＲＢ遊技を開始する役（図柄組み合わせは例えば、リプレイ−リプレイ−リプレイ）を設定し、この役が内部当選した場合、または、入賞した場合に、ＲＢ遊技を開始するように設定してもよい。さらには、ＢＢ遊技は、ＢＢ遊技中のＲＢ遊技を除くＢＢ一般遊技を予め定めた回数（例えば、３０回）実行した場合、または、ＢＢ遊技中に実行したＲＢ遊技の回数が予め定めた回数に達した場合（例えば、３回）に終了するようにしてもよい。
【００５６】
ＲＢ遊技は、遊技者にとっては利益となる遊技状態になるように設定されている。つまり、ＲＢ遊技は、獲得するメダルの総数が、投入したメダルの総数を超える遊技状態となる。ＲＢ遊技は、本実施例では、レギュラーボーナス（ＲＢ）の入賞により開始され、予め定めた一の役が内部当選の確率を上昇させる変動（例えば、「設定１」「通常遊技」に設定された「小役１」の内部当選確率１／１５を、予め定めた一の値である内部当選確率１／１．２に上昇させる）をし、予め定めた一の数（例えば８回）の入賞があった場合に終了する。ＢＢ遊技は、予め定めた回数の入賞があった場合（例えば、８回）、または、ＲＢ遊技中に実行したＲＢ遊技の回数が予め定めた回数に達した場合（例えば、８回）に終了するようにしてもよい。
【００５７】
ビッグボーナス（ＢＢ）およびレギュラーボーナス（ＲＢ）の内部当選遊技に内部当選する入賞役には、再遊技（リプレイ）と、小役がある。ビッグボーナス（ＢＢ）およびレギュラーボーナス（ＲＢ）は内部当選することはなく、ビッグボーナス（ＢＢ）かレギュラーボーナス（ＲＢ）に対応する図柄組み合わせを入賞させることが可能となっている遊技状態である。
【００５８】
但し、ビッグボーナス（ＢＢ）およびレギュラーボーナス（ＲＢ）に内部当選した次遊技から、再遊技の内部当選の確率を変動させてもよく、例えば、再遊技の内部当選の確率を上昇させる変動をさせて、ビッグボーナス（ＢＢ）およびレギュラーボーナス（ＲＢ）対応する図柄組み合わせが入賞するまでの間は、獲得するメダルの総数が、投入したメダルの総数とほぼ同じとなる遊技状態とし、通常遊技と比べると遊技者にとっては利益となる遊技状態としてもよい。
【００５９】
次に、図７から図９を用いて、従来におけるメダル投入とベットボタン演出の関係について説明する。
【００６０】
先ず図７において、通常演出とベットボタン演出について説明する。図７（ａ）は通常演出の一例を示す図で、今回の遊技の第一停止操作時に、左側の味方の侍と右側の敵の侍が決闘する画面が演出画像表示装置１５７に表示される。その後、図７（ｂ）に示すように両者が切り合う場面が表示される。そして次回の遊技において、遊技者がベットボタン１３２を操作すると、ベットボタン演出として、図７（ｃ）示すように、決闘の結果（この場合味方の侍が負けてしまった場面）が表示される。この通常演出は、全体のアニメーションを行う時間が例えば７秒間かけて行われるように設計されていた場合、遊技者の停止ボタン１３７乃至１３９の操作間隔によっては、図７（ｂ）の画面が表示される前に、次回の遊技操作が有効になってしまって、図７（ｃ）のベットボタン演出が通常演出に割り込むような状態が発生する場合がある。
【００６１】
つまり図８のタイムチャートに示すように、遊技台の設計段階では、今回の遊技中に演出画像表示装置１５７にて通常演出が実行されており、通常演出が終了してその最後の場面ｂ（図７（ｂ）の画面）が表示されている状態で今回の遊技が終了した場合、次回遊技のベットボタン操作によって、ベットボタン演出（図７（ｃ））が実行されることを想定していたものとする。しかし、遊技操作が素早く行われた場合、図９のタイムチャートに示すように、今回の遊技が早く終了してしまい、次回ベット操作受付も早くなってしまうことから、ベット操作が行われしまうと、通常演出に割り込んでしまい、遊技者に違和感を与えてしまっていた。
【００６２】
よって、本発明では、図１０のタイムチャートに示すように、遊技終了後に賭け操作である投入ベットは受付状態とするが、ベットボタン演出実行操作である演出ベットの受付は、投入ベット受付となった後に一定期間をおいて有効となるように構成した。
【００６３】
このように構成することで、通常演出が次回遊技までに終わらなかった場合でも、ベットボタン演出を割り込ませることなく、演出の整合性を保つことが可能となる。
【００６４】
また、行ったベット操作はあくまで演出ベットのみ無効となり、投入ベット操作は有効であるので、遊技者が投入ベット操作を再び行うような煩わしさも生じない。また、演出ベットによる演出を見たくない遊技者は、ベット後スタート操作を行えば、ベット演出が行われることなく次回の遊技が開始する。
【００６５】
なお、演出ベット受付は無効とするのではなく、受付はするが保留状態として、通常演出が終わったのちに、保留を解除してベットッボタン演出を実行するように構成してもよい。
【００６６】
また、演出ベット受付を時間によって無効とするのではなく、１回目は無効、２回目は有効というように回数で規制してもよい。
【００６７】
また、図１１に示すように、今回の遊技でリプレイが入賞した場合、次回遊技の開始で自動的に疑似的なベット投入制御が行われるが、その場合、演出ベット受付を疑似投入制御の後に有効化するように構成してもよい。
【００６８】
次に図５を用いて、主制御部３００のＣＰＵ３０４が実行する主制御部メイン処理について説明する。なお、同図は主制御部メイン処理の流れを示すフローチャートである。
【００６９】
上述したように、主制御部３００には、電源が投入されると起動信号（リセット信号）を出力する起動信号出力回路（リセット信号出力回路）３３８を設けている。この起動信号を入力した基本回路３０２のＣＰＵ３０４は、リセット割込によりリセットスタートしてＲＯＭ３０６に予め記憶している制御プログラムに従って図５に示す主制御部メイン処理を実行する。
【００７０】
電源投入が行われると、まず、ステップ１０００で各種の初期設定を行う。この初期設定では、ＣＰＵ３０４のスタックポインタ（ＳＰ）へのスタック初期値の設定、割込禁止の設定、Ｉ／Ｏ３１０の初期設定、ＲＡＭ３０８に記憶する各種変数の初期設定、ＷＤＴ３１３への動作許可及び初期値の設定等を行う。ステップ１００１ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３５が操作されたか否かのチェックを行い、スタートレバー１３５の操作があればステップ１００２へ進む。
【００７１】
ステップ１００２では投入されたメダル枚数を確定し、有効な入賞ラインを確定する。ステップ１００３では乱数発生回路３１６で発生させた乱数を取得する。
【００７２】
ステップ１００４では、現在の遊技状態に応じてＲＯＭ３０６に格納されている入賞役抽選テーブルを読み出し、これとステップ１００３で取得した乱数値とを用いて内部抽選を行う。内部抽選の結果、いずれかの入賞役（作動役を含む）に内部当選した場合、その入賞役のフラグがＯＮになる。
【００７３】
ステップ１００５では内部抽選結果に基づき、リール停止データを選択する。ステップ１００６では全リール１１０乃至１１２の回転を開始させる。ステップ１００７では、ストップボタン１３７乃至１３９の受け付けが可能になり、いずれかのストップボタンが押されると、押されたストップボタンに対応するリール１１０乃至１１２の何れかをステップ１００５で選択したリール停止制御データに基づいて停止させる。全リール１１０乃至１１２が停止するとステップ１００８へ進む。ステップ１００８では入賞判定を行う。ここでは、有効化された入賞ライン１１４上に、何らかの入賞役に対応する絵柄組合せが表示された場合にその入賞役に入賞したと判定する。例えば、有効化された入賞ライン上に「ベル−ベル−ベル」が揃っていたならばベル入賞と判定する。ステップ１００９では払い出しのある何らかの入賞役に入賞していれば、その入賞役に対応する枚数のメダルを入賞ライン数に応じて払い出すメダル払出処理を実行する。ステップ１０１０では遊技状態制御処理を行う。以上により１ゲームが終了する。以降ステップ１００１へ戻って上述した処理を繰り返すことにより遊技が進行することになる。
【００７４】
次に図６を用いて、主制御部３００のＣＰＵ３０４が実行する主制御部タイマ割込処理について説明する。なお、同図は主制御部タイマ割込処理の流れを示すフローチャートである。
【００７５】
主制御部３００は、所定の周期（本実施形態では約２ｍｓに１回）でタイマ割込信号を発生するカウンタタイマ３１２を備えており、このタイマ割込信号を契機として主制御部タイマ割込処理を所定の周期で開始する。
【００７６】
ステップ１１０１では、タイマ割込開始処理を行う。このタイマ割込開始処理では、ＣＰＵ３０４の各レジスタの値をスタック領域に一時的に退避する処理などを行う。
【００７７】
ステップ１１０２では、ＷＤＴ３１３のカウント値が初期設定値（本実施形態では３２．８ｍｓ）を超えてＷＤＴ割込が発生しないように（処理の異常を検出しないように）、ＷＤＴを定期的に（本実施形態では、主制御部タイマ割込の周期である約２ｍｓに１回）リスタートを行う。
【００７８】
ステップ１１０３では、入力ポート状態更新処理を行う。この入力ポート状態更新処理では、Ｉ／Ｏ３１０の入力ポートを介して、各種センサ３１８のセンサ回路３２０の検出信号を入力して検出信号の有無を監視し、ＲＡＭ３０８に各種センサ３１８ごとに区画して設けた信号状態記憶領域に記憶する。
【００７９】
ステップ１１０４では、各種遊技処理を行う。具体的には、割込みステータスを取得し（各種センサ３１８からの信号に基づいて各種割込みステータスを取得する）、このステータスに従った処理を行う（例えば、取得した各ストップボタン１３７乃至１３９の割込みステータスに基づいて、停止ボタン受付処理を行う）。
【００８０】
ステップ１１０５では、タイマ更新処理を行う。各種タイマをそれぞれの時間単位により更新する。フリーズ演出の演出タイマもこのとき更新される。
【００８１】
ステップ１１０６では、コマンド設定送信処理を行い、各種のコマンドが第１副制御部４００に送信される。なお、第１副制御部４００に送信する出力予定情報は本実施形態では１６ビットで構成しており、ビット１５はストローブ情報（オンの場合、データをセットしていることを示す）、ビット１１〜１４はコマンド種別（本実施形態では、基本コマンド、ベット枚数コマンド、スタートレバー受付コマンド、演出抽選処理に伴う演出コマンド、リール１１０乃至１１２の回転を開始に伴う回転開始コマンド、ストップボタン１３７乃至１３９の操作の受け付けに伴う停止ボタン受付コマンド、リール１１０乃至１１２の停止処理に伴う停止位置情報コマンド、メダル払出処理に伴う払出枚数コマンド及び払出終了コマンド、フリーズ演出に関するタイマ情報などの遊技情報）、ビット０〜１０はコマンドデータ（コマンド種別に対応する所定の情報）で構成している。ベットボタン１３２が操作されたことは、このタイミングで第１副制御部４００に送信される。
【００８２】
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【００８３】
ステップ１１０７では、外部出力信号設定処理を行う。この外部出力信号設定処理では、ＲＡＭ３０８に記憶している遊技情報を、情報出力回路３３４を介してスロットマシン１００とは別体の情報入力回路６５２に出力する。
【００８４】
ステップ１１０８では、デバイス監視処理を行う。このデバイス監視処理では、まずはステップ１１０５において信号状態記憶領域に記憶した各種センサ３１８の信号状態を読み出して、メダル投入異常及びメダル払出異常等に関するエラーの有無を監視し、エラーを検出した場合には（図示省略）エラー処理を実行させる。またフリーズ演出タイマが０より上であった場合は、禁止デバイスフラグを参照して、該当するデバイスの動作（操作受付）を中断する。さらに、現在の遊技状態に応じて、メダルセレクタ１７０（メダルセレクタ１７０内に設けたソレノイドが動作するメダルブロッカ）、各種ランプ３３８、各種の７セグメント（ＳＥＧ）表示器の設定を行う。
【００８５】
ステップ１１０９では、低電圧信号がオンであるか否かを監視する。そして、低電圧信号がオンの場合（電源の遮断を検知した場合）にはステップ１１１０に進み、低電圧信号がオフの場合（電源の遮断を検知していない場合）にはステップ１１１１に進む。
【００８６】
ステップ１１１１では、タイマ割込終了処理を終了する各種処理を行う。このタイマ割込終了処理では、ステップ１１０１で一時的に退避した各レジスタの値を元の各レジスタに設定等行う。その後、図５に示す主制御部メイン処理に復帰する。
【００８７】
一方、ステップ１１１０では、復電時に電断時の状態に復帰するための特定の変数やスタックポインタを復帰データとしてＲＡＭ３０８の所定の領域に退避し、入出力ポートの初期化等の電断処理を行い、その後、図５に示す主制御部メイン処理に復帰する。
【００８８】
次に、図１２を用いて、第１副制御部４００をフローチャートを用いて説明する。
【００８９】
図１１（ａ）は、第１副制御部４００のＣＰＵ４０４が実行するメイン処理のフローチャートである。同図（ｂ）は、第１副制御部４００のコマンド受信割込処理のフローチャートである。同図（ｃ）は、第１副制御部４００のタイマ割込処理のフローチャートである。
【００９０】
まず、同図（ａ）のステップ２００１では、各種の初期設定を行う。電源投入が行われると、まず２００１で初期化処理が実行される。この初期化処理では、入出力ポートの初期設定や、ＲＡＭ４０８内の記憶領域の初期化処理等を行う。
【００９１】
ステップ２００２では、タイマ変数が１０以上か否かを判定し、タイマ変数が１０となるまでこの処理を繰り返し、タイマ変数が１０以上となったときには、ステップ２００３の処理に移行する。
【００９２】
ステップ２００３では、タイマ変数に０を代入する。
【００９３】
ステップ２００４では、コマンド処理を行う。第１副制御部４００のＣＰＵ４０４は、主制御部３００からコマンドを受信した場合に、その内容を解析し、所定領域に演出データとして格納する。
【００９４】
ステップ２００５では、演出選択処理を行う。この処理は、ステップ２００４にて行われたコマンド解析にに応じて、演出種別を選択する処理である。詳細は後述する。
【００９５】
ステップ２００６では、演出制御処理を行う。この演出制御処理では、ステップ２００４で演出に関係するコマンドが存在した場合に、このコマンドに対応する演出データをＲＯＭ４０６から読み出して所定の領域に演出データを設定し、その後演出制御を行うものである。詳細は後述する。
【００９６】
ステップ２００７では、ステップ２００４で読み出した演出データの中に音源ＩＣ４１８への命令がある場合には、この命令を音源ＩＣ４１８に出力する。
【００９７】
ステップ２００８では、ステップ２００４で読み出した演出データの中に各種ランプ４２０への命令がある場合には、この命令を駆動回路４２２に出力する。
【００９８】
ステップ２００９では、ステップ２００４で読み出した演出データの中に第２副制御部５００に送信する制御コマンドがある場合には、この制御コマンドを出力する設定を行い、ステップ２００２へ戻る。
【００９９】
次に、同図（ｂ）を用いて、第１副制御部４００のコマンド受信割込処理について説明する。このコマンド受信割込処理は、第１副制御部４００が、主制御部３００が出力するストローブ信号を検出した場合に実行する処理である。コマンド受信割込処理のステップ２１０１では、主制御部３００が出力したコマンドを未処理コマンドとしてＲＡＭ４０８に設けたコマンド記憶領域に記憶する。
【０１００】
次に、同図（ｃ）を用いて、第１副制御部４００のＣＰＵ４０４によって実行する第１副制御部タイマ割込処理について説明する。第１副制御部４００は、所定の周期（本実施例では２ｍｓに１回）でタイマ割込を発生するハードウェアタイマを備えており、このタイマ割込を契機として、タイマ割込処理を所定の周期で実行する。
【０１０１】
第１副制御部４００のタイマ割込処理のステップ２２０１では、図１１（ａ）に示す第１副制御部メイン処理におけるステップ２００３において説明したＲＡＭ４０８のタイマ変数記憶領域の値に、１を加算して元のタイマ変数記憶領域に記憶する。従って、ステップ２００３において、タイマ変数の値が１０以上と判定されるのは２０ｍｓ毎（２ｍｓ×１０）となる。
【０１０２】
第１副制御部タイマ割込処理のステップ２２０２では、ステップ２０１９で設定された第２副制御部５００への制御コマンドの送信や、演出用乱数値の更新処理等を行う。
【０１０３】
次に、図１３を用いて、演出選択処理について説明する。
【０１０４】
ステップ２３０１では、演出抽選処理を行う。演出抽選処理は、図１５に示すような演出抽選テーブルと０〜１２７の乱数値を用いて行う。例えば、スイカ当選時に、抽出乱数値が７０であった場合、通常演出に加えてベットボタン演出の実行が決定される。
【０１０５】
ステップ２３０２では、演出抽選に当選したか否かを判別する。
【０１０６】
ステップ２３０３では、演出抽選に当選した場合に、まず通常演出実行フラグをオンにする。
【０１０７】
ステップ２３０４では、通常演出の実行長さを管理するための通常演出タイマーをセットする。
【０１０８】
ステップ２３０５では、ベットボタン演出に当選したか否かを判別する。
【０１０９】
ステップ２３０６では、ベットボタン演出に当選していた場合、ベットボタン演出当選フラグをオンにする。
【０１１０】
次に、図１４を用いて、演出制御処理の説明を行う。
【０１１１】
ステップ２４０１では、ベットボタン演出当選フラグがオンとなっているか否かを判別する。
【０１１２】
ステップ２４０２では、メダル投入コマンドを受信したか否かを判別する。
【０１１３】
ステップ２４０３では、通常演出タイマーが０より上か否かを判別する。
【０１１４】
ステップ２４０４では、通常演出タイマーが０、つまり通常演出が図７（ｂ）の状態となっている場合に、ベットボタン演出実行フラグをオンとする。
【０１１５】
ステップ２４０５では、スタートレバー１３５の受付コマンドを受信したか否か判別する。
【０１１６】
ステップ２４０６では、スタート受付が行われていた場合、ベットボタン演出をキャンセルするために、関連パラメータをクリアする。
【０１１７】
ステップ２４０７では、成立している演出フラグに応じて演出処理を行う。
【０１１８】
以上に説明したように、本発明の遊技台は、所定の価値がベットされたことを条件に図柄の変動表示の開始が許可され、前記変動表示が停止して前記図柄が特定の停止態様となった場合遊技者に価値を付与する遊技台であって、遊技者が操作可能な操作デバイスと、演出を制御する演出制御手段と、を備え、前記演出制御手段は、前記演出を一定の期間、継続して実行するとともに、前記一定の期間には、前記ベットは実行されるが、前記操作デバイスの操作に基づいて前記演出の態様は変化しない第１演出制御期間と、前記操作デバイスの操作に基づいて前記演出の態様が変化する第２演出制御期間と、が含まれていることを特徴とした。
【０１１９】
上述した実施形態では、図１０のタイムチャートに示すように、遊技終了後に賭け操作である投入ベットは受付状態とするが、ベットボタン演出実行操作である演出ベットの受付は、投入ベット受付となった後に一定期間をおいて有効となるように構成した。
【０１２０】
よって、通常演出が次回遊技までに終わらなかった場合でも、ベットボタン演出を割り込ませることなく、演出の整合性を保つことが可能となる。
【０１２１】
また、行ったベット操作はあくまで演出ベットのみ無効となり、投入ベット操作は有効であるので、遊技者が投入ベット操作を再び行うような煩わしさも生じない。更には、演出ベットによる演出を見たくない遊技者は、ベット後スタート操作を行えば、ベット演出が行われることなく次回の遊技が開始するので、遊技者が自分の好みに合わせて演出を選択することが可能となる。
【０１２２】
また本発明の別の態様では、更に、前記操作デバイスは、遊技者が操作することにより前記ベットが実行されるベット操作手段と、遊技者が操作することにより前記演出の態様の変化が実行される演出態様変更手段と、を備えていることを特徴とした。
【０１２３】
上述した実施形態では、ベットボタン１３２に、メダル投入機能と、演出ベット機能の両方を備えるように構成した。
【０１２４】
よって、メダル投入ボタンと、演出ベットボタンを２つ設ける必要がなく、１つのボタンで兼用できるので、コストダウンが可能となる。
【０１２５】
また本発明の別の態様では、更に、前記価値には、前記価値を新たにベットしなくても、次回の遊技が可能となるリプレイ入賞役が含まれ、前記リプレイ入賞役が入賞したことによって、次回の遊技において前記ベットに関する制御が実行されている期間、前記操作デバイスが操作されても前記演出の態様を変化させないことを特徴とした。
【０１２６】
上述した実施形態では、図１１に示すように、ベット操作を、リプレイ入賞による擬似投入制御においても同様に演出制御が可能とした。
【０１２７】
よって、リプレイ擬似投入制御中にベットボタン演出が発生して、リプレイ入賞の演出なのか、ベットボタン演出なのか、遊技者が混乱することがない。
【０１２８】
＜付記１＞
なお、以上説明した本発明は、
１．  複数種類の図柄が施され、回転駆動される複数のリール（例えば、左リール１１０、中リール１１１、右リール１１２）と、
所定の価値のベットを受け付けるベット受付手段（例えば、ベットボタン１３０の操作受付を行うベットボタン１３０センサ、ベットボタン１３１の操作受付を行うベットボタン１３１センサ、ベットボタン１３２の操作受付を行うベットボタン１３２センサ、メダル投入口１４１へのメダル投入の受付を行うメダル受付センサ）と、
前記ベットを受け付けた状態において前記リールのスタート操作を受け付けるスタート操作手段（例えば、スタートレバー１３５の操作受付を行うスタートレバー１３５センサ）と、
前記スタート操作に基づいて、予め定められた複数種類の役の内部当選の当否を抽選により判定する抽選手段（例えば、図５のステップ１００４）と、
前記リールのそれぞれに対応して設けられ、前記リールの回転を個別に停止させる停止操作を受け付ける停止操作手段（例えば、ストップボタン１３７の操作受付を行うストップボタン１３７センサ、ストップボタン１３８の操作受付を行うストップボタン１３８センサ、ストップボタン１３９の操作受付を行うストップボタン１３９センサ）と、
前記抽選手段の抽選結果及び前記停止操作に基づいて、前記リールの停止制御を行う停止制御手段（例えば、図５のステップ１００７）と、
前記停止制御手段により停止制御された前記リールの停止態様に基づいて、遊技者に利益を付与する利益付与手段（例えば、図５のステップ１００９）と、を備えた遊技台であって、
前記抽選結果に応じた演出を行う演出手段（例えば、演出画像表示装置１５７）と、
前記演出手段が一の演出（例えば、図７（ａ）から図７（ｂ）に到る通常演出）を実行している期間に受付可能であって、前記一の演出を該一の演出に繋がる他の演出（例えば、図７（ｃ）のベットボタン演出）に切り替えるための切替指示を遊技者から受け付ける演出切替受付手段（例えば、ベット操作の受付）と、を備え、
前記演出手段は、前記一の演出を少なくとも一の停止操作の受付前に実行し、
前記一の演出は、最初の場面（例えば、図７（ａ）の演出）から最終の場面（例えば、図７（ｂ）の演出）となるまでに予め定めた時間を要するものであり、
前記ベット受付手段は、今回の遊技が終了している場合には、前記予め定めた時間の経過に係わらず次回の遊技の前記ベットを受付可能なものであり、
前記演出手段は、
前記一の演出を開始してから前記予め定めた時間が経過した後に、前記演出切替受付手段が前記切替指示を受け付けた場合には、前記切替指示を受け付けた時に、実行中の前記一の演出を前記他の演出に切替え、
前記一の演出を開始してから前記予め定めた時間が経過する前に、前記演出切替受付手段が前記切替指示を受け付けた場合には、実行中の前記一の演出を前記最終の場面まで継続するものであり、
前記演出切替受付手段は、前記一の演出の実行中に次回の遊技の前記ベットを受け付けたことに基づいて、前記切替指示を受け付けるものである、
ことを特徴とする遊技台、とした。
【０１２９】
また、本発明は、
２．  １．に記載の遊技台であって、
前記演出手段は、前記一の演出の実行中に次回の遊技の前記スタート操作を受け付けた場合には、該一の演出を終了するとともに前記他の演出も実行しない、
ことを特徴とする遊技台、とした。
【０１３０】
＜付記２＞
以上説明した本発明は、
１．  複数種類の図柄が施され、回転駆動される複数のリール（例えば、左リール１１０、中リール１１１、右リール１１２）と、
所定の価値のベットを受け付けるベット受付手段（例えば、ベットボタン１３０の操作受付を行うベットボタン１３０センサ、ベットボタン１３１の操作受付を行うベットボタン１３１センサ、ベットボタン１３２の操作受付を行うベットボタン１３２センサ、メダル投入口１４１へのメダル投入の受付を行うメダル受付センサ）と、
前記ベットを受け付けた状態において前記複数のリールのスタート操作を受け付けるスタート操作手段（例えば、スタートレバー１３５の操作受付を行うスタートレバー１３５センサ）と、
前記スタート操作に基づいて、予め定められた複数種類の役の内部当選の当否を抽選により判定する抽選手段（例えば、図５のステップ１００４）と、
前記複数のリールのそれぞれに対応して設けられ、前記複数のリールの回転を個別に停止させる停止操作を受け付ける停止操作手段（例えば、ストップボタン１３７の操作受付を行うストップボタン１３７センサ、ストップボタン１３８の操作受付を行うストップボタン１３８センサ、ストップボタン１３９の操作受付を行うストップボタン１３９センサ）と、
前記抽選手段の抽選結果及び前記停止操作に基づいて、前記複数のリールの停止制御を行う停止制御手段（例えば、図５のステップ１００７）と、
前記停止制御手段により停止制御された前記複数のリールの停止態様に基づいて、遊技者に利益を付与する利益付与手段（例えば、図５のステップ１００９）と、を備えた遊技台であって、
前記抽選結果に応じた演出を実行する演出手段（例えば、演出画像表示装置１５７）と、
前記演出手段が一の演出（例えば、図７（ａ）から図７（ｂ）に到る通常演出）を実行している期間に受付可能であって、前記一の演出を該一の演出に繋がる他の演出（例えば、図７（ｃ）のベットボタン演出）に切り替えるための切替指示を遊技者から受け付ける演出切替受付手段（例えば、ベット操作の受付）と、を備え、
前記演出手段は、前記一の演出を少なくとも一の停止操作の受付前に実行し、
前記一の演出は、最初の場面（例えば、図７（ａ）の演出）から最終の場面（例えば、図７（ｂ）の演出）となるまでに予め定めた時間を要するものであり、
前記ベット受付手段は、今回の遊技が終了している場合には、前記予め定めた時間の経過に係わらず次回の遊技の前記ベットを受付可能なものであり、
前記演出手段は、
前記一の演出を開始してから前記予め定めた時間が経過した後に、前記演出切替受付手段が前記切替指示を受け付けた場合には、前記切替指示を受け付けた時に、実行中の前記一の演出を前記他の演出に切替え、
前記一の演出を開始してから前記予め定めた時間が経過する前に、前記演出切替受付手段が前記切替指示を受け付けた場合には、実行中の前記一の演出を前記最終の場面まで継続するものであり、
前記演出切替受付手段は、前記一の演出の実行中に次回の遊技の前記ベットを受け付けたことに基づいて、前記切替指示を受け付けるものであり、
前記スタート操作手段は、前記一の演出の実行中に次回の遊技の前記ベットが受け付けられた場合には、該次回の遊技の前記スタート操作を前記予め定めた時間の経過に係わらず受け付けるものである、
ことを特徴とする遊技台、としたので、
・遊技の興趣を向上することができる。
・また、一の演出中であっても次回の遊技を開始することができるので、遊技者のペースで遊技を実行することができ、遊技の興趣を向上することができる場合がある。
【０１３１】
また本発明は、
２．  １．に記載の遊技台であって、
前記演出手段は、前記一の演出の実行中に次回の遊技の前記スタート操作を受け付けた場合には、該一の演出を終了するとともに前記他の演出も実行しない、
ことを特徴とする遊技台、とした。
【０１３２】
以上、本発明の実施形態を説明したが、具体例を例示したに過ぎず、特に本発明を限定するものではない。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【産業上の利用可能性】
【０１３３】
本発明は、スロットマシン、パチンコ機等に代表される遊技台に適用することが可能である。
【符号の説明】
【０１３４】
１００・・・スロットマシン
１５７・・・演出画像表示装置
３００・・・主制御部
４００・・・第１副制御部
５００・・・第２副制御部
【図１】
0006002895.tif 000002
【図２】
0006002895.tif 000003
【図３】
0006002895.tif 000004
【図５】
0006002895.tif 000005
【図６】
0006002895.tif 000006
【図８】
0006002895.tif 000007
【図９】
0006002895.tif 000008
【図１０】
0006002895.tif 000009
【図１１】
0006002895.tif 000010
【図１２】
0006002895.tif 000011
【図１３】
0006002895.tif 000012
【図１４】
0006002895.tif 000013
【図１５】
0006002895.tif 000014
【図４】
0006002895.tif 000015
【図７】
0006002895.tif 000016